(57)【要約】【課題】栽培棚を囲わずとも、栽培棚に適切な風速の空気を通過させる。【解決手段】栽培室（S1）内の複数の通路（31〜37）は、空調機（62a〜66b）が設置された設置通路（32,34,36）と、設置通路（32,34,36）の隣に位置し空調機（62a〜66b）が設置されていない非設置通路（31,33,35,37）とを有する。第１誘引ファン（71〜77）は、非設置通路（31,33,35,37）に設置されており、空調機（62a〜66b）から吹き出された空調後の空気を含む設置通路（32,34,36）側の空気を、設置通路（32,34,36）側から非設置通路（31,33,35,37）側に引き込む気流を生成する。【選択図】図５
2017006052.tif 000002
【特許請求の範囲】
【請求項１】
植物を生育させるための栽培ベッド（40）が載置される複数の栽培棚（21〜26）が、互いに所定間隔離れて配列された栽培室（S1）内において、該栽培室（S1）内の空調を行う栽培室用空調システムであって、
上記栽培室（S1）内の空調を行う少なくとも１つの空調機（62a〜66b）と、
上記空調機（62a〜66b）とは別に、上記栽培室（S1）内に設置された少なくとも１つの第１送風機（71〜77）と、
を備え、
上記栽培室（S1）内には、隣接する上記栽培棚（21〜26）の間を含む通路（32〜36）と、上記栽培室（S1）の側壁（S11,S13）及び上記栽培棚（21,26）の間を含む通路（31,37）とが、上記栽培棚（21〜26）の配列方向に沿って複数並んでおり、
複数の上記通路（31〜37）は、対応する上記空調機（62a〜66b）が存在する１以上の第１通路（32,34,36）と、該第１通路（32,34,36）の隣に位置し対応する上記空調機（62a〜66b）が存在しない１以上の第２通路（31,33,35,37）とを有し、
上記第１送風機（71〜77）は、
１以上の上記第２通路（31,33,35,37）の少なくとも１つに対応するようにして設置されており、
上記空調機（62a〜66b）から吹き出された空調後の空気を含む上記第１通路（32,34,36）側の空気を、該第１通路（32,34,36）側から、対応する上記第１送風機（71〜77）が存在する上記第２通路（31,33,35,37）側に引き込む気流、を生成する
ことを特徴とする栽培室用空調システム。
【請求項２】
請求項１において、
上記栽培室（S1）内においては、対応する上記空調機（62a〜66b）が存在する上記第１通路（32,34,36）と、対応する上記第１送風機（71〜77）が存在する上記第２通路（31,33,35,37）とが交互に配置されている
ことを特徴とする栽培室用空調システム。
【請求項３】
請求項１または請求項２において、
上記空調機（62a〜66b）は、上記第１通路（32,34,36）の両端に対応するようにして設置されている
ことを特徴とする栽培室用空調システム。
【請求項４】
請求項１から請求項３のいずれか１項において、
上記第１送風機（71〜77）とは別に設けられ、上記第１通路（32,34,36）に対応するようにして設置されており、上記栽培棚（21〜26）の下方に向かって空気を吹き出す第２送風機（82a〜86b）、
を更に備える
ことを特徴とする栽培室用空調システム。
【請求項５】
請求項４において、
上記第１送風機（71〜77）の風量は、上記第２送風機（82a〜86b）の風量よりも大きい
ことを特徴とする栽培室用空調システム。
【請求項６】
請求項４または請求項５において、
上記栽培室（S1）の側壁（S11,S13）と上記栽培棚（21〜26）との間を含む上記通路である壁際通路（31,37）は、対応する上記第１送風機（71,77）が存在する上記第２通路であって、
上記壁際通路（31,37）の隣の上記通路（32,36）は、上記第１通路であって、
上記第２送風機（82a,82b,86a,86b）は、上記壁際通路（31,37）の隣の上記第１通路（32,36）に対応するようにして設置されている
ことを特徴とする栽培室用空調システム。
【請求項７】
請求項４から請求項６のいずれか１項において、
上記第１送風機（71〜77）及び上記第２送風機（82a〜86b）は、誘引ファンで構成されている
ことを特徴とする栽培室用空調システム。
【請求項８】
請求項１から請求項７のいずれか１項において、
上記栽培棚（21〜26）の上端と上記栽培室（S1）の天井（S16）との間に設けられ、対応する上記第１送風機（71〜77）が存在する上記第２通路（31,33,35,37）と上記第１通路（32,34,36）との間を仕切る仕切り部材（91〜96）、
を更に備える
ことを特徴とする栽培室用空調システム。
【発明の詳細な説明】
【技術分野】
【０００１】
本発明は、栽培室に設けられた空調システムに関するものである。
【背景技術】
【０００２】
栽培室内にて野菜等の植物を栽培する際、栽培室内での植物の生育速度を概ね均一化させるには、栽培棚に適切な風速の空気を通過させて、栽培室内を適切な温度及び湿度にて一定に保つことが要求される。このような要求に関連する技術として、例えば特許文献１及び特許文献２が知られている。
【０００３】
特許文献１では、孔の空いた板で栽培棚を囲っており、栽培室の天井付近に設置されたファンが運転することによって、板の孔から栽培棚を通る気流が生成される。特許文献２においても、特許文献１と同様、栽培棚の周囲を板等によって囲っており、ファンが運転することによって壁の開口から栽培棚を通る気流が生成される。
【先行技術文献】
【特許文献】
【０００４】
【特許文献１】実用新案登録第２５７９１５３号
【特許文献２】特開２０１４−８２９９５号公報
【発明の概要】
【発明が解決しようとする課題】
【０００５】
特許文献１，２では、個々の栽培棚を囲うことが必要である。そのため、栽培室に設置された栽培棚の数が多い程、囲うべき栽培棚が多くなり、その分作業者の手間とコストがかかってしまう。
【０００６】
本発明は、かかる点に鑑みてなされたものであり、その目的は、栽培棚を囲わずとも、栽培棚に適切な風速の空気を通過させることである。
【課題を解決するための手段】
【０００７】
第１の発明は、植物を生育させるための栽培ベッド（40）が載置される複数の栽培棚（21〜26）が、互いに所定間隔離れて配列された栽培室（S1）内において、該栽培室（S1）内の空調を行う栽培室用空調システムであって、上記栽培室（S1）内の空調を行う少なくとも１つの空調機（62a〜66b）と、上記空調機（62a〜66b）とは別に、上記栽培室（S1）内に設置された少なくとも１つの第１送風機（71〜77）と、を備え、上記栽培室（S1）内には、隣接する上記栽培棚（21〜26）の間を含む通路（32〜36）と、上記栽培室（S1）の側壁（S11,S13）及び上記栽培棚（21,26）の間を含む通路（31,37）とが、上記栽培棚（21〜26）の配列方向に沿って複数並んでおり、複数の上記通路（31〜37）は、対応する上記空調機（62a〜66b）が存在する１以上の第１通路（32,34,36）と、該第１通路（32,34,36）の隣に位置し対応する上記空調機（62a〜66b）が存在しない１以上の第２通路（31,33,35,37）とを有し、上記第１送風機（71〜77）は、１以上の上記第２通路（31,33,35,37）の少なくとも１つに対応するようにして設置されており、上記空調機（62a〜66b）から吹き出された空調後の空気を含む上記第１通路（32,34,36）側の空気を、該第１通路（32,34,36）側から、対応する上記第１送風機（71〜77）が存在する上記第２通路（31,33,35,37）側に引き込む気流、を生成することを特徴とする栽培室用空調システムである。
【０００８】
ここでは、第１通路（32,34,36）の圧力は、空調機（62a〜66b）による空気の吹き出しによって陽圧となり、対応する第１送風機（71〜77）が存在する第２通路（31,33,35,37）の圧力は、第１送風機（71〜77）の動作によって負圧となる。この圧力差により、空調機（62a〜66b）から吹き出された空気を含む第１通路（32,34,36）側の空気は、該第１通路（32,34,36）から、通路（31〜37）間に位置する栽培棚（21〜26）を通過して第２通路（31,33,35,37）側に流れる。従って、栽培棚（21〜26）を囲うことなく、栽培棚（21〜26）内部に適切な風速の空気を通過させることができる。
【０００９】
第２の発明は、第１の発明において、上記栽培室（S1）内においては、対応する上記空調機（62a〜66b）が存在する上記第１通路（32,34,36）と、対応する上記第１送風機（71〜77）が存在する上記第２通路（31,33,35,37）とが交互に配置されていることを特徴とする栽培室用空調システムである。
【００１０】
これにより、空調機（62a〜66b）から吹き出された空気は、空調機（62a〜66b）の第１通路（32,34,36）側から第１送風機（71〜77）の第２通路（31,33,35,37）側へと引き込まれ易くなる。
【００１１】
第３の発明は、第１の発明または第２の発明において、上記空調機（62a〜66b）は、上記第１通路（32,34,36）の両端に対応するようにして設置されていることを特徴とする栽培室用空調システムである。
【００１２】
ここでは、第１通路（32,34,36）の両端から空調後の空気が吹き出される。従って、空調後の空気は、不足することなく栽培棚（21〜26）を通過して第２通路（31,33,35,37）へと行き渡る。
【００１３】
第４の発明は、第１の発明から第３の発明のいずれか１項において、上記第１送風機（71〜77）とは別に設けられ、上記第１通路（32,34,36）に対応するようにして設置されており、上記栽培棚（21〜26）の下方に向かって空気を吹き出す第２送風機（82a〜86b）、
を更に備えることを特徴とする栽培室用空調システムである。
【００１４】
これにより、空調後の空気を含む第１通路（32,34,36）の空気は、栽培棚（21〜26）の下方へも行き渡るようになる。従って、栽培棚（21〜26）の高さ方向に対する温度ムラが解消されやすくなる。
【００１５】
第５の発明は、第４の発明において、上記第１送風機（71〜77）の風量は、上記第２送風機（82a〜86b）の風量よりも大きいことを特徴とする栽培室用空調システムである。
【００１６】
これにより、空調後の空気を含む第１通路（32,34,36）の空気は、栽培棚（21〜26）の下方に流れるよりも、第２通路（31,33,35,37）側へと流れる方が多くなる。従って、上記第１通路（32,34,36）に対応するように第２送風機（82a〜86b）が設けられていても、空調後の空気は第２通路（31,33,35,37）側に確実に引き込まれるようになる。
【００１７】
第６の発明は、第４の発明または第５の発明において、上記栽培室（S1）の側壁（S11,S13）と上記栽培棚（21〜26）との間を含む上記通路である壁際通路（31,37）は、対応する上記第１送風機（71,77）が存在する上記第２通路であって、上記壁際通路（31,37）の隣の上記通路（32,36）は、上記第１通路であって、上記第２送風機（82a,82b,86a,86b）は、上記壁際通路（31,37）の隣の上記第１通路（32,36）に対応するようにして設置されていることを特徴とする栽培室用空調システムである。
【００１８】
壁際通路（31,37）の隣の第１通路（32,36）に対応する第２送風機（82a,82b,86a,86b）の存在により、風量の確保が難しい壁際での風量は増大する。従って、栽培室（S1）内の風速をより均一化させることができる。
【００１９】
第７の発明は、第４の発明から第６の発明のいずれか１つにおいて、上記第１送風機（71〜77）及び上記第２送風機（82a〜86b）は、誘引ファンで構成されていることを特徴とする栽培室用空調システムである。
【００２０】
第８の発明は、第１の発明から第７の発明のいずれか１つにおいて、上記栽培棚（21〜26）の上端と上記栽培室（S1）の天井（S16）との間に設けられ、対応する上記第１送風機（71〜77）が存在する上記第２通路（31,33,35,37）と上記第１通路（32,34,36）との間を仕切る仕切り部材（91〜96）、を更に備えることを特徴とする栽培室用空調システムである。
【００２１】
これにより、空調機（62a〜66b）から吹き出された空気を含む第１通路（32,34,36）の空気が、栽培棚（21〜26）を通過せずに栽培棚（21〜26）の上端と栽培室（S1）の天井（S16）との間をすり抜けて第２通路（31,33,35,37）側へと至ってしまうことを抑制できる。従って、空調後の空気を含む第１通路（32,34,36）の空気を、より確実に栽培棚（21〜26）を通過させることができ、栽培棚（21〜26）内部に適切な風速の空気を通過させることができる。
【発明の効果】
【００２２】
本発明によれば、栽培棚（21〜26）を囲うことなく、栽培棚（21〜26）内部に適切な風速の空気を通過させることができる。
【００２３】
また、上記第２の発明によれば、空調機（62a〜66b）から吹き出された空気は、空調機（62a〜66b）の第１通路（32,34,36）側から第１送風機（71〜77）の第２通路（31,33,35,37）側へと引き込まれ易くなる。
【００２４】
また、上記第３の発明によれば、空調後の空気は、不足することなく栽培棚（21〜26）を通過して第２通路（31,33,35,37）へと行き渡る。
【００２５】
また、上記第４の発明及び上記第７の発明によれば、栽培棚（21〜26）の高さ方向に対する温度ムラが解消されやすくなる。
【００２６】
また、上記第５の発明によれば、上記第１通路（32,34,36）に対応するように第２送風機（82a〜86b）が設けられていても、空調後の空気は第２通路（31,33,35,37）側に確実に引き込まれるようになる。
【００２７】
また、上記第６の発明によれば、栽培室（S1）内の風速をより均一化させることができる。
【００２８】
また、上記第８の発明によれば、空調後の空気を含む第１通路（32,34,36）の空気を、より確実に栽培棚（21〜26）を通過させることができ、栽培棚（21〜26）内部に適切な風速の空気を通過させることができる。
【図面の簡単な説明】
【００２９】
【図１】図１は、本実施形態に係る栽培室用空調システムが配置された栽培室の平面図である。
【図２】図２は、図１のII−II断面図である。
【図３】図３は、図１のIII−III断面図である。
【図４】図４は、栽培棚に設置された栽培ベッドの構成を概略的に示す図である。
【図５】図５は、図１において、栽培室内に生成される気流を示す図である。
【図６】図６は、その他の実施形態に係る栽培用空調システムが配置された栽培室の平面図である。
【発明を実施するための形態】
【００３０】
以下、本発明の実施形態を図面に基づいて詳細に説明する。なお、以下の実施形態は、本質的に好ましい例示であって、本発明、その適用物、あるいはその用途の範囲を制限することを意図するものではない。
≪実施形態≫
＜概要＞
本実施形態に係る栽培室用空調システム（10）（以下、“空調システム（10）”）は、野菜や果物等の植物（50）を栽培する植物工場及び栽培ハウス等の栽培室（S1）に構築される。空調システム（10）は、栽培中の植物（50）の生長が促進されるように栽培室（S1）内の空気調和を行うシステムであって、主として、複数の空調機（62a,62b,64a,64b,66a,66b）と、第1送風機に相当する複数の第１誘引ファン（71,73,75,77）と、第２送風機に相当する複数の第２誘引ファン（82a,82b,84a,84b,86a,86b）と、複数の仕切り部材（91,92,93,94,95,96）とを備える。このような空調システム（10）は、図１に示すように、複数の栽培棚（21,22,23,24,25,26）が設置された栽培室（S1）内に設置される。
【００３１】
−栽培室−
ここで、図１〜図３を用いて、栽培室（S1）内の栽培棚（21〜26）の配置について説明する。なお、本実施形態に係る栽培室（S1）は、平面視において矩形状であって、図１のＸ方向に延びる側壁（S11,S13）はＹ方向に延びる側壁（S12,S14）よりも長くなっている。
【００３２】
図１及び図２に示すように、栽培室（S1）には、複数の栽培棚（21〜26）が図１及び図２のＹ方向に互い所定間隔離れて配列されている。各栽培棚（21〜26）は、平面視において、図１及び図３のＸ方向つまりは栽培室（S1）の側壁（S11,S13）に沿って細長く、且つ図２及び図３に示すようにＺ方向（鉛直方向）にも延びている。そして、栽培棚（21〜26）は、各側壁（S11〜S14）から離れて位置している。
【００３３】
このような栽培棚（21〜26）の配列によって、図１の破線で示すように、側壁（S13）と当該側壁（S13）に最も近い栽培棚（21）との間、各栽培棚（21〜26）同士の間、側壁（S11）と当該側壁（S11）に最も近い栽培棚（26）との間には、通路（31,32,33,34,35,36,37）が形成されている。通路（31,37）は、側壁（S11,S13）と栽培棚（21,26）との間を含む通路であり、通路（32〜36）は、隣接する栽培棚（21〜26）の間を含む通路である。これら複数の通路（31〜37）は、いずれもＸ方向に延びており、互いに並行となるように位置している。即ち、複数の通路（31〜37）は、栽培棚（21〜26）と同様に、栽培棚（21〜26）の配列方向であるＹ方向に沿って並んで配置されている。
【００３４】
このような栽培棚（21〜26）には、図２及び図３に示すように、Ｚ方向（鉛直方向）に向けて段が複数形成されている。各段には、栽培ベッド（40）が複数載置される。
【００３５】
図４に示すように、栽培ベッド（40）は、植物（50）を育成させるためのものであって、主として、植物（50）が植え付けられる栽培パネル（41）と、植物（50）を生育するための養液（47）を溜める養液槽（45）とで構成される。栽培パネル（41）は、ポリスチレンや発砲樹脂等である断熱性の比較的高い材質が水平に延びることで形成された板状部材である。図示していないが、栽培パネル（41）には、水平面上において互いに所定間隔離れて位置する植物植え付け用の孔が、上下方向に貫通するようにして複数設けられている。養液槽（45）は、上面が開放された水槽であって、内部には養液（47）が貯留されている。養液（47）の上方には、養液槽（45）の上面を覆うようにして栽培パネル（41）が載置されている。
【００３６】
＜空調システムの構成＞
上述した栽培室（S1）内には、空調システム（10）の空調機（62a〜66b）、第１誘引ファン（71〜77）、第２誘引ファン（82a〜86b）及び仕切り部材（91〜96）が配置される。
【００３７】
特に、本実施形態の空調システム（10）を構成する各種機器は、図１に示された配置を採る。この配置は、空調機（62a〜66b）から吹き出された空調後の空気を全ての栽培ベッド（40）に適切な風速にて行き渡らせることで、栽培棚（21〜26）内部の温度及び湿度を均一化させ、栽培ベッド（40）に植えられている植物（50）の生長速度をできる限り均一化させることを実現している。
【００３８】
以下では、空調システム（10）の構成を説明するにあたり、空調システム（10）の各種機器の配置について、重点的に説明していく。
【００３９】
−空調機−
空調機（62a〜66b）は、栽培室（S1）の空調を行うものであって、図２及び図３に示すように栽培室（S1）の天井（S16）付近に設置される。図示していないが、空調機（62a〜66b）は、熱交換器及びファン等を有しており、栽培室（S1）内の空気を取り込むと、これを熱交換器にて冷媒との間で熱交換させて、空気を目標の温度及び湿度に近づける。熱交換後の空気は、空調後の空気として、栽培室（S1）内に吹き出される。
【００４０】
空調機（62a〜66b）は、全ての通路（31〜37）に対応するようにして設けられてはおらず、図１及び図２に示すように、任意の通路（32,34,36）に対応するようにして、当該通路（32,34,36）それぞれの両端且つ側壁（S12,S14）付近に１台ずつ設けられている。本実施形態では、１本の通路おきに空調機（62a〜66b）が対応するようにして配置されている。各空調機（62a〜66b）は、対応する通路（32,34,36）に向けて空調後の空気を例えば水平方向に吹き出す。
【００４１】
具体的には、図１の矢印で示すように、図１において左側に位置する空調機（62b,64b,66b）は、右方向へと空気を吹き出し、図１において右側に位置する空調機（62a,64a,66a）は、左方向へと空気を吹き出す。本実施形態では、通路（32,34,36）がＸ方向に長いため、空調後の空気を不足なく栽培室（S1）に供給するべく、各空調機（62a〜66b）は、通路（32,34,36）の両側から、通路（32,34,36）内部へと空気を吹き出している。
【００４２】
以下では、説明の便宜上、複数の通路（31〜37）のうち、空調機（62a〜66b）が両端に設置されていることで、対応する空調機が存在している通路（32,34,36）を、「設置通路（第１通路）」と呼称する。また、複数の通路（31〜37）のうち、空調機（62a〜66b）が設置されていないことで、対応する空調機が存在しない通路（31,33,35,37）を、「非設置通路（第２通路）」と呼称する。図１に示すように、栽培室（S1）の平面視において、設置通路（32,34,36）と非設置通路（31,33,35,37）とは交互に配置されている。
【００４３】
−第１誘引ファン−
第１誘引ファン（71〜77）は、上記空調機（62a〜66b）とは別に設けられ、栽培室（S1）内に設置されている。図２及び図３に示すように、第１誘引ファン（71〜77）は、栽培室（S1）の底面（S15）から天井（S16）までの高さの約中間あたりにおいて、図１に示すようにＹ方向に延びる側壁（S12,S14）付近に位置している。
【００４４】
第１誘引ファン（71〜77）は、比較的小型且つ軽量ながらも空気を効率的に送風することができる小型軸流送風機である。第１誘引ファン（71〜77）は、内部のモータ（図示せず）の駆動により空気を吹き出すが、筒状のノズルの向きを自在に代えることにより所望の方向に空気を吹き出すことができるようになっている。特に、第１誘引ファン（71〜77）は、比較的早い風速で空気をノズルに沿って真っ直ぐに吹き出すことで、吹き出した風量の何十倍もの周辺空気を誘引する。これにより、栽培室（S1）内には、第１誘引ファン（71〜77）が吹き出した空気流よりも大きい気流が生成されるため、第１誘引ファン（71〜77）の設置位置から離れた位置にも気流が届くようになる。
【００４５】
特に、第１誘引ファン（71〜77）は、図１に示すように、対応する空調機（62a〜66b）が存在しない非設置通路（31,33,35,37）それぞれに対応するようにして、当該通路（31,33,35,37）の片方の端部に１台ずつ設けられている。つまり、第１誘引ファン（71〜77）は、隣り合う通路（31〜37）に連続して配置されておらず、１本の通路おきに配置されている。従って、本実施形態では、空調機（62a〜66b）が設置された設置通路（32,34,36）の隣の通路（31,33,35,37）に、第１誘引ファン（71〜77）が配置されており、空調機（62a〜66b）が設置された設置通路（32,34,36）と第１誘引ファン（71〜77）が設置された非設置通路（31,33,35,37）とが交互に配置された状態となっている。第１誘引ファン（71〜77）は、対応する非設置通路（31,33,35,37）に向けて空気を吹き出す。
【００４６】
上述した配置によると、対応する非設置通路（31,33,35,37）に向けて各第１誘引ファン（71〜77）が空気を吹き出しながら、対応する設置通路（32,34,36）に向けて空調機（62a〜66b）が空調後の空気を吹き出すと、図５に示すように、設置通路（32,34,36）は陽圧、非設置通路（31,33,35,37）は負圧となり、隣り合う通路（31〜37）間には圧力差が発生する。特に、設置通路（32,34,36）と非設置通路（31,33,35,37）とは交互に配置されているため、陽圧の通路と負圧の通路とが交互に位置することになる。すると、各空調機（62a〜66b）から吹き出された空調後の空気を含む設置通路（32,34,36）側の空気は、当該設置通路（32,34,36）側からその隣の非設置通路（31,33,35,37）側へと引き込まれる。その気流を、図５の矢印にて示している。図５では、矢印が太い程風速が大きいことを表しているが、栽培室（S1）内の風速は、いずれも所定範囲内（例えば０．５ｍ／ｓ〜１．０ｍ／ｓ）の範囲内に収まることができる。
【００４７】
図５に示した気流は、設置通路（32,34,36）側から隣の非設置通路（31,33,35,37）側に流れる際、通路（31〜37）を実質的に区切る要素となっている栽培棚（21〜26）の中を通過する。これにより、栽培棚（21〜26）に載置された栽培ベッド（40）の植物（50）には、空調後の空気を含む空気がある程度の風速にて行き渡る。従って、植物（50）の生長には良い影響が与えられる。
【００４８】
更に、本実施形態では、図１及び図５に示すように、第１誘引ファン（71,75）が右側に配置された非設置通路（31,35）と、第１誘引ファン（73，77）が左側に設置された非設置通路（33,37）とが、設置通路（32,34,36）を挟んで交互に位置している。これは、平面視において栽培室（S1）内を旋回するような気流が第１誘引ファン（71〜77）によって生成されるようにして、栽培棚（21〜26）内をより空気が通過し易いようにするためである。
【００４９】
−第２誘引ファン−
第２誘引ファン（82a〜86b）は、空調機（62a〜66b）及び第１誘引ファン（71〜77）とは別に設けられ、栽培室（S1）内に配置されている。第２誘引ファン（82a〜86b）は、第１誘引ファン（71〜77）と同様、吹き出す方向を自在に代えることができ、且つ自身が吹き出した風量の何十倍もの周辺空気を誘引するファンであって、底面（S15）から天井（S16）までの高さの約中間あたりにおいて、側壁（S12,S14）付近に位置している。
【００５０】
特に、第２誘引ファン（82a〜86b）は、図１に示すように、設置通路（32,34,36）それぞれに対応するようにして、当該通路（32,34,36）それぞれの両端に１台ずつ設けられている。即ち、第２誘引ファン（82a〜86b）は、空調機（62a〜66b）の下方に設置されており、１本の通路おきに配置されている。図示していないが、第２誘引ファン（82a〜86b）のノズルは底面（S15）側に向けられており、第２誘引ファン（82a〜86b）は、栽培棚（21〜26）の下方に向かって空気を吹き出す。
【００５１】
これにより、設置通路（32,34,36）側は、空調機（62a〜66b）のみならず第２誘引ファン（82a〜86b）の存在により、確実に陽圧となる。そして、空調機（62a〜66b）が吹き出した空気は、第１誘引ファン（71〜77）によって設置通路（32,34,36）側から非設置通路（31,33,35,37）側へと誘引されるのみならず、第２誘引ファン（82a〜86b）によって各栽培棚（21〜26）の下方へも誘引される。従って、栽培棚（21〜26）の下方にも空調後の空気が適切な風速にて行き渡るようになり、栽培棚（21〜26）の下方の温度ムラ及び湿度ムラが解消される。
【００５２】
ところで、上述した配置によると、各通路（31〜37）には、少なくとも１台の誘引ファン（71〜77,82a〜86b）が配置されていることになる。すると、第１誘引ファン（71〜77）及び第２誘引ファン（82a〜86b）それぞれの吹き出し風量によっては、誘引対象となる設置通路（32,34,36）側の空気が不足し、場合によっては設置通路（32,34,36）側から非設置通路（31,33,35,37）側への気流が弱まるおそれがある。すると、栽培棚（21〜26）を通過する空気の風量が少なくなり、栽培ベッド（40）周囲の空気がよどむ可能性がある。
【００５３】
そこで、本実施形態では、第１誘引ファン（71〜77）の吹き出し風量を、第２誘引ファン（82a〜86b）の吹き出し風量よりも大きくするように、各誘引ファン（71〜77,82a〜86b）の風量の調節が行われている。本実施形態では、１本の非設置通路（31,33,35,37）に１つの第１誘引ファン（71〜77）が設置され、１本の設置通路（32,34,36）に２つの第２誘引ファン（82a〜86b）が設置されていることから、１台あたりの第１誘引ファン（71〜77）の吹き出し風量を“Fa”、１台あたりの第２誘引ファン（82a〜86b）の吹き出し風量を“Fb”とすると、“Fa＞Fb×２”の関係が成立するように風量調節が行われる。
【００５４】
これにより、第１誘引ファン（71〜77）は、第２誘引ファン（82a〜86b）の影響をさほど受けることなく、空調機（62a〜66b）から吹き出される空気を含む隣の設置通路（32,34,36）側の空気、及び対応する非設置通路（31,33,35,37）周囲の栽培棚（21〜26）内部の空気を、対応する非設置通路（31,33,35,37）側へと誘引することができる。
【００５５】
なお、本実施形態では、図１及び図５に示すように、栽培室（S1）の側壁（S11.S13）と栽培棚（21〜26）との間に位置する通路（31,37）（以下、壁際通路）は、非設置通路となっている。第２誘引ファン（82a,82b,86a,86b）は、壁際通路（31,37）の隣の通路（32,36）の両端（即ち、最も側壁（S11,S13）に近い設置通路（32,36））にも、設置されている。第２誘引ファン（82a,82b,86a,86b）が設置通路（32,36）にない場合、側壁（S11,S13）のちょうど真ん中あたりの風速が限りなくゼロに近く空気がよどんでいたものが、隣の通路（32,36）への第２誘引ファン（82a,82b,86a,86b）の設置によって改善された。これは、最も側壁（S11,S13）に近い設置通路（32,36）に第２誘引ファン（82a,82b,86a,86b）を配置することで、図５にも示されるように、風量の確保が比較的難しい側壁（S11,S13）においても空気がより行き渡り易くなるからである。これにより、栽培室（S1）内の風速を、より均一化にすることができている。
【００５６】
−仕切り部材−
仕切り部材（91〜96）は、木材、樹脂及び金属等で構成され、一定の厚みを有し、且つ一方向（図１及び図３のＸ方向）に延設された板状部材である。仕切り部材（91〜96）は、図３に示すように、各栽培棚（21〜26）の上端と栽培室（S1）の天井（S16）との間に設けられている。仕切り部材（91〜96）は、空調機（62a〜66b）が設置された設置通路（32,34,36）と、第１誘引ファン（71〜77）が設置された非設置通路（31,33,35,37）とを仕切っている。
【００５７】
図２及び図３に示すように、本実施形態では、栽培棚（21〜26）は栽培室（S1）の天井（S16）には到達しておらず、栽培棚（21〜26）の上端から天井（S16）までは開放された空間が形成されている。このような空間があると、たとえ陽圧の設置通路（32,34,36）側から負圧の非設置通路（31,33,35,37）側へと空気が流れるとしても、設置通路（32,34,36）側の空気の少なくとも一部は、栽培棚（21〜26）を通過せずに栽培棚（21〜26）の上端と天井（S16）との間の空間をすり抜けて非設置通路（31,33,35,37）側へと至ってしまうおそれがある。これに対し、本実施形態では、仕切り部材（91〜96）が設けられているため、設置通路（32,34,36）側の空気が栽培棚（21〜26）の上端と天井（S16）との間の空間をすり抜けて非設置通路（31,33,35,37）側へと至ることはなく、設置通路（32,34,36）側の空気は、確実に栽培棚（21〜26）内を通過することができる。
【００５８】
なお、本実施形態では、図１及び図５に示すように、仕切り部材（91〜96）のＸ方向への長さと栽培棚（21〜26）のＸ方向への長さとが概ね一致している。しかし、仕切り部材（91〜96）のＸ方向への長さは、栽培棚（21〜26）のＸ方向への長さよりも長くてもよい。例えば、仕切り部材（91〜96）のＸ方向への長さは、栽培室（S1）の側壁（S12）から当該側壁（S12）に対向する側壁（S14）まで延びていてもよい。これにより、仕切り部材（91〜96）は、栽培棚（21〜26）の上端と天井（S16）との間の空間を、設置通路（32,34,36）側と非設置通路（31,33,35,37）側とで完全に仕切ることができる。従って、設置通路（32,34,36）側の空気が栽培棚（21〜26）の上端と天井（S16）との間の空間をすり抜けて非設置通路（31,33,35,37）側へと至る現象の発生を、より確実に防ぐことができる。
【００５９】
＜本実施形態に係る風速の一例＞
以下では、比較例を軽く説明すると共に、上述した本実施形態の空調システム（10）における風速の一例について説明する。
【００６０】
本実施形態に対する比較例として、全ての通路（31〜37）に対応するようにして、各通路（31〜37）の両端に空調機及び誘引ファンが設けられた配置を考える。この配置では、各通路（31〜37）の誘引ファンは、例えば同量の空気を隣の通路（31〜37）から誘引する。すると、各栽培棚（21〜26）には、風向が互いに逆であるが風速が同じである空気が、両隣の通路（31〜37）から流入してくるため、これらの空気は栽培棚（21〜26）内部にて互いに打ち消し合う。すると、栽培棚（21〜26）内部を適切な風量の空気が通過することは叶わず、植物（50）の生長がばらつく等の悪影響が生じるおそれがある。
【００６１】
これに対し、本実施形態に係る空調システム（10）では、図１及び図５で示したように、空調機（62a〜66b）が設置された設置通路（32,34,36）と、第１誘引ファン（71〜77）のみが設置された非設置通路（31,33,35,37）とが、交互に配置されている。すると、栽培棚（21〜26）内部には適切な風量の空気が送られる。
【００６２】
具体的に、空調機（62a〜66b）の風量を“Ａm3/min”、第１誘引ファン（71〜77）の吹き出し風量を“Ｂm3/min”、第２誘引ファン（82a〜86b）の吹き出し風量を“Ｃm3/min”とする。なお、第１誘引ファン（71〜77）の吹き出し風量“Ｂm3/min”は、第２誘引ファン（82a〜86b）の吹き出し風量“Ｃm3/min”よりも大きい（Ｂ＞Ｃ）。第１誘引ファン（71〜77）及び第２誘引ファン（82a〜86b）が、自身の吹き出し風量の約２０倍の風量を誘引できるとすると、第１誘引ファン（71〜77）によって誘引される風量は“Ｂ×２０m3/min”となり、第２誘引ファン（82a〜86b）によって誘引される風量は“Ｃ×２０m3/min”となる。
【００６３】
すると、空調機（62a〜66b）が設置されている設置通路（32,34,36）では、第２誘引ファン（82a〜86b）は、風量“Ｃ×２０m3/min”から空調機（62a〜66b）の風量“Ａm3/min”を引いた風量分“（Ｃ×２０）−Ａm3/min”を、周囲から誘引する。特に、設置通路（32,34,36）では、第２誘引ファン（82a〜86b）が両端に２台配置されているため、設置通路（32,34,36）には、周囲から“（Ｃ×２０）−Ａm3/min”の２倍の風量が誘引される。
【００６４】
一方、非設置通路（31,33,35,37）では、“Ｂ×２０m3/min”から“（Ｃ×２０）−Ａm3/min”の２倍を差し引いた風量が、栽培棚（21〜26）の内部や設置通路（32,34,36）側から誘引されることになる。
【００６５】
＜効果＞
栽培室（S1）内には、対応する空調機（62a〜66b）が存在する設置通路（32,34,36）と、対応する空調機（62a〜66b）が存在しない非設置通路（31,33,35,37）とが交互に配置されている。第１誘引ファン（71〜77）は、非設置通路（31,33,35,37）に対応するようにして設置されており、空調後の空気を含む設置通路（32,34,36）側の空気を、設置通路（32,34,36）側から非設置通路（31,33,35,37）側に引き込む気流を生成する。すると、設置通路（32,34,36）の圧力は、空調機（62a〜66b）による空気の吹き出しによって陽圧となり、対応する第１誘引ファン（71〜77）が存在する非設置通路（31,33,35,37）の圧力は、第１誘引ファン（71〜77）の動作によって負圧となる。この圧力差により、空調後の空気を含む設置通路（32,34,36）側の空気は、該設置通路（32,34,36）から、通路（31〜37）間に位置する栽培棚（21〜26）を通過して非設置通路（31,33,35,37）側に流れる。従って、栽培棚（21〜26）を囲わずとも、栽培棚（21〜26）内部に適切な風速の空気を通過させることができる。
【００６６】
特に、空調機（62a〜66b）が設置された設置通路（32,34,36）と、第１誘引ファン（71〜77）が設置された非設置通路（31,33,35,37）とが交互に配置されている。これにより、空調機（62a〜66b）から吹き出された空気は、設置通路（32,34,36）側から非設置通路（31,33,35,37）側へと引き込まれ易くなる。
【００６７】
また、空調機（62a〜66b）は、設置通路（32,34,36）の両端に対応するようにして設置されている。そのため、設置通路（32,34,36）では、該通路（32,34,36）両端から空調後の空気が吹き出される。従って、空調後の空気は、不足することなく栽培棚（21〜26）を通過して非設置通路（31,33,35,37）へと行き渡る。
【００６８】
また、設置通路（32,34,36）には、第２誘引ファン（82a〜86b）が更に設置されている。第２誘引ファン（82a〜86b）により、空調後の空気を含む設置通路（32,34,36）の空気は、栽培棚（21〜26）の下方へも行き渡るようになる。従って、栽培棚（21〜26）の高さ方向に対する温度ムラが解消されやすくなる。
【００６９】
特に、第１誘引ファン（71〜77）の風量は第２誘引ファン（82a〜86b）の風量よりも大きいため、空調後の空気を含む設置通路（32,34,36）の空気は、栽培棚（21〜26）の下方に流れるよりも、非設置通路（31,33,35,37）側へと流れる方が多くなる。従って、第２誘引ファン（82a〜86b）が設けられていても、空調後の空気は非設置通路（31,33,35,37）側に確実に引き込まれるようになる。
【００７０】
また、壁際通路（31,37）は非設置通路であり、壁際通路（31,37）の隣の設置通路（32,36）には、第２誘引ファン（82a,82b,86a,86b）が設置されている。この第２誘引ファン（82a,82b,86a,86b）により、風量の確保が難しい壁際での風量は増大する。従って、栽培室（S1）内の風速をより均一化させることができる。
【００７１】
また、栽培棚（21〜26）の上端と栽培室（S1）の天井（S16）との間には、非設置通路（31,33,35,37）と設置通路（32,34,36）との間を仕切る仕切り部材（91〜96）が設けられている。これにより、空調機（62a〜66b）から吹き出された空気を含む設置通路（32,34,36）の空気が、栽培棚（21〜26）を通過せずに栽培棚（21〜26）の上端と栽培室（S1）の天井（S16）との間をすり抜けて非設置通路（31,33,35,37）側へと至ってしまうことを抑制できる。従って、空調後の空気を含む設置通路（32,34,36）の空気を、より確実に栽培棚（21〜26）を通過させることができ、栽培棚（21〜26）内部に適切な風速の空気を通過させることができる。
≪その他の実施形態≫
上記実施形態については、以下のような構成としてもよい。
【００７２】
設置通路及び非設置通路は、１本ずつ交互に配置されるのではなく、例えば複数本ずつが交互に配置されていてもよい。図６では、側壁（S13）から側壁（S11）に向かって順に、２本の設置通路（31,32）、２本の非設置通路（33,34）、１本の設置通路（35）、２本の非設置通路（36,37）が並んでいる場合を例示している。非設置通路（33,34,36,37）のうち通路（33,36）には、第１誘引ファン（73,76）が配置されている。各設置通路（31,32,35）の両端には、空調機（61a,61b,62a,62b,65a,65b）及び第２誘引ファン（81a,81b,82a,82b,85a,85b）が設置されている。各非設置通路（33,36）には、第１誘引ファン（73,76）が１台ずつ設置されているが、非設置通路（34,37）には空調機も誘引ファンも設置されていない。
【００７３】
空調機（62a〜66b）及び第２誘引ファン（82a〜86b）は、設置通路（32,34,36）の両端ではなく、片方の端部に設けられていても良い。
【００７４】
第１誘引ファン（71〜77）は必須であるが、第２誘引ファン（82a〜86b）は設けられずとも良い。
【００７５】
第１誘引ファン（71〜77）の風量が第２誘引ファン（82a〜86b）の風量よりも大きい条件は、必ずしも満たされていなくても良い。
【００７６】
図１及び図５では、壁際通路（31,37）の隣の設置通路（32,36）に第２誘引ファン（82a,82b,86a,86b）が設置されているが、これに限定されない。
【００７７】
第１誘引ファン（71〜77）及び第２誘引ファン（82a〜86b）は、シロッコファン等によって構成されていてもよい。
【００７８】
仕切り部材（91〜96）は、必ずしも設けられずとも良い。
【００７９】
通路（31〜37）の本数、栽培棚（21〜26）の数、空調機（62a〜66b）の台数、第１誘引ファン（71〜77）の数、及び第２誘引ファン（82a〜86b）の数は、上記実施形態に限定されない。最低限、栽培棚が２つであってもよく、この場合、栽培棚同士の間及び栽培棚と側壁（S11,S13）との間では通路が３本形成される。
【００８０】
図１及び図５に示すように、第１誘引ファン（71,75）が右側に配置された非設置通路（31,35）と、第１誘引ファン（73,77）が左側に設置された非設置通路（33,37）とが、設置通路（32,34,36）を介して必ずしも交互に位置していなくてもよい。また、非設置通路（31,33,35,37）に第１誘引ファン（71〜77）が設置される際、第１誘引ファン（71〜77）は、非設置通路（31,33,35,37）の左側のみまたは右側のみに配置されていてもよい。
【００８１】
空調機（62a〜66b）及び第２誘引ファン（82a〜86b）は、設置通路（32,34,36）に対応するようにして設けられていれば良い。従って、空調機（62a〜66b）及び第２誘引ファン（82a〜86b）は、設置通路（32,34,36）外に設置されているが、設置通路（32,34,36）に向けて空気を吹き出すことができるように設置されていてもよい。また、第１誘引ファン（71〜77）も、非設置通路（31,33,35,37）に対応するようにして設けられていれば良い。従って、第１誘引ファン（71〜77）は、非設置通路（31,33,35,37）外に設置されているが、非設置通路（31,33,35,37）に向けて空気を吹き出すことができるように設置されていてもよい。
【００８２】
栽培棚（21〜26）には、栽培ベッド（40）の他、LEDの反射板等が設置されている。これらは、栽培棚（21〜26）を通過する空気の流れを遮る要素となる。そのため、第１誘引ファン（71〜77）及び空調機（62a〜66b）を選定したり配置を決定したりする際、空気の流れを遮る要素による影響を考慮して栽培棚（21〜26）を空気が通過する表面積及び風速を演算し、その演算結果が利用されることが好ましい。
【産業上の利用可能性】
【００８３】
以上説明したように、本発明は、複数の栽培棚が互いに所定間隔離れて配列された栽培室内の空調を行う空調システムについて有用である。
【符号の説明】
【００８４】
S1  栽培室
S11,S13  側壁
10  栽培室用空調システム
21,22,23,24,25,26  栽培棚
31,32,33,34,35,36,37  通路
31,33,35,37  非設置通路（第２通路）
32,34,36  設置通路（第１通路）
40  栽培ベッド
62a,62b,64a,64b,66a,66b  空調機
71,73,75,77  第１誘引ファン（第１送風機）
82a,82b,84a,84b,86a,86b  第２誘引ファン（第２送風機）
91,92,93,94,95,96  仕切り部材
【図１】
2017006052.tif 000003
【図２】
2017006052.tif 000004
【図３】
2017006052.tif 000005
【図４】
2017006052.tif 000006
【図５】
2017006052.tif 000007
【図６】
2017006052.tif 000008